(57)【特許請求の範囲】
【請求項１】
貫通穴が形成されるとともに該貫通穴によって流れる電流を２分する第１分岐路及び第２分岐路が形成された被測定導体と、
該被測定導体の前記貫通穴に配置された外乱検出用の第１磁電変換素子と、
前記被測定導体に形成された前記第１分岐路または第２分岐路の外側に配置された第２磁電変換素子と、
とを備えたことを特徴とする電流検出器。
【請求項２】
前記第２磁電変換素子は、前記被測定導体に形成された前記第１分岐路及び第２分岐路を含む平面と同一平面上であって、前記第１分岐路または第２分岐路の外側に配置されたことを特徴とする請求項１記載の電流検出器。
【請求項３】
前記第２磁電変換素子から出力される電気信号を前記第１磁電変換素子から出力される電気信号に基づいて補正する補正部を更に備えたことを特徴とする請求項１または請求項２記載の電流検出器。
【請求項４】
複数の導体が配設されるとともに、複数の導体が相互に且つ略平行に配置される電気接続箱において、
前記複数の導体の内のいずれか１つの導体であって貫通穴が形成されるとともに該貫通穴によって流れる電流を２分する第１分岐路及び第２分岐路が形成された被測定導体、該被測定導体の前記貫通穴に配置された外乱検出用の第１磁電変換素子、及び前記被測定導体に形成された前記第１分岐路または第２分岐路の外側に配置された第２磁電変換素子を有する電流検出器を備えたことを特徴とする電気接続箱。
【請求項５】
前記複数の導体の内の前記被測定導体を除く導体は、当該導体及び前記第１磁電変換素子間の距離と、当該導体及び前記第２磁電変換素子間の距離とが略等しくなるように配置されることを特徴とする請求項４記載の電気接続箱。
【発明の詳細な説明】
【０００１】
【発明の属する技術分野】
本発明は、自動車等といった機器に搭載される電気回路に流れる電流を検出する電流検出器に関し、特に電流の検出精度を高めることができる電流検出器及びこれを用いた電気接続箱に関する。
【０００２】
【従来の技術】
従来、例えば自動車に搭載される電気回路に流れる電流を、磁電変換素子の１つであるホール素子を使用して検出する電流検出器が知られている。このような電流検出器の一例が特開平５−２２３８４９号公報に開示されている。この電流検出器は、図７に示すように、同一平面内で切り込み１ａ或いは折り曲げによりループ状の電流路１ｂを形成し被検出電流Ｉを流す導体１と、導体１に流れる被検出電流Ｉにより発生する磁束を電気信号に変換する磁電変換素子２とを備えている。
【０００３】
この電流検出器では、導体１に形成されたループ状の電流路１ｂに被検出電流Ｉが流れることにより磁束が発生する。この磁束は磁電変換素子２で電気信号に変換され、これにより被検出電流Ｉの大きさに比例した電気信号が得られる。この電流検出器では、磁電変換素子が直線状の導体の近傍に設置された場合に比べ、２倍以上の磁束を感受するので、電流検出の精度を上げることができる。
【０００４】
【発明が解決しようとする課題】
しかしながら、前記特開平５−２２３８４９号公報に開示された電流検出器では、被測定導体以外の導体を流れる電流によって発生される磁束が外乱となって検出結果に影響を及ぼすので、被測定導体に流れる電流を精度良く検出できないという問題があった。
【０００５】
本発明は、被測定導体に流れる電流を精度良く検出できる電流検出器及びこれを用いた電気接続箱を提供することを課題とする。
【０００６】
【課題を解決するための手段】
本発明は前記課題を解決するために以下の構成とした。請求項１に記載の発明の電流検出器は、貫通穴が形成されるとともに該貫通穴によって流れる電流を２分する第１分岐路及び第２分岐路が形成された被測定導体と、該被測定導体の前記貫通穴に配置された外乱検出用の第１磁電変換素子と、前記被測定導体に形成された前記第１分岐路または第２分岐路の外側に配置された第２磁電変換素子とを備えたことを特徴とする。
【０００７】
この請求項１に記載の発明によれば、被測定導体を流れる電流は第１分岐路と第２分岐路との２つに分岐して流れる。この場合、第１分岐路を流れる電流及び第２分岐路を流れる電流の各方向と大きさは同じであるから、第１分岐路を流れる電流によって生じる磁界と第２分岐路を流れる電流によって生じる磁界とは、貫通穴の位置では同じ強さで逆方向になる。
【０００８】
その結果、貫通穴の位置ではこれら両磁界が打ち消し合うので、被測定導体を流れる電流に基づく磁界以外の磁界（以下、「外乱磁界」という）が存在しなければ、貫通穴に配置された第１磁電変換素子はゼロを出力する。このことは、第１磁電変換素子は、外乱磁界の強さに対応する電気信号を出力することを意味する。
【０００９】
一方、第２磁電変換素子は、第１分岐路または第２分岐路の外側に配置されるので、第１分岐路を流れる電流によって生じる磁界と第２分岐路を流れる電流によって生じる磁界との合成磁界の強さに対応する電気信号を出力する。この際、第２磁電変換素子に入力される外乱磁界が存在すれば、この第２磁電変換素子は、前記合成磁界に更に外乱磁界が合成された磁界の強さに対応する電気信号を出力する。
【００１０】
従って、例えば、第２磁電変換素子からの電気信号から第１磁電変換素子からの電気信号を除去するような補正を行えば、補正された電気信号は、被測定導体に流れる電流の大きさを正確に反映しているので、被測定導体に流れる電流を精度良く検出できる。
【００１１】
また、請求項２に記載の発明は、請求項１に記載の発明において更に、前記第２磁電変換素子が、前記被測定導体に形成された前記第１分岐路及び第２分岐路を含む平面と同一平面上であって、前記第１分岐路または第２分岐路の外側に配置されたことを特徴とする。
【００１２】
この請求項２に記載の発明によれば、第２磁電変換素子が、被測定導体に形成された第１分岐路及び第２分岐路を含む平面と同一平面上であって、第１分岐路または第２分岐路の外側に配置されているので、第１の分岐路に流れる電流によって生ずる磁界、及び第２の分岐路に流れる電流によって生ずる磁界のそれぞれの磁界が第２磁電変換素子の感磁面を略垂直に貫くから、より大きな電気信号が出力され、これによって、より高感度となる。
【００１３】
また、請求項３に記載の発明は、請求項１または請求項２に記載の発明において更に、第２磁電変換素子から出力される電気信号を第１磁電変換素子から出力される電気信号に基づいて補正する補正部を備えていることを特徴とする。
【００１４】
この請求項３に記載の発明によれば、補正部は、第２磁電変換素子から出力される電気信号を、第１磁電変換素子から出力される電気信号に基づいて補正する。この補正は、例えば第２磁電変換素子からの電気信号から第１磁電変換素子からの電気信号を除去するような補正とすることができる。その結果、補正部から出力される電気信号は、被測定導体に流れる電流の大きさを正確に反映しているので、被測定導体に流れる電流を精度良く検出できる。
【００１５】
請求項４に記載の発明は、複数の導体が配設されるとともに、複数の導体が相互に且つ略平行に配置される電気接続箱において、前記複数の導体の内のいずれか１つの導体であって貫通穴が形成されるとともに該貫通穴によって流れる電流を２分する第１分岐路及び第２分岐路が形成された被測定導体、該被測定導体の前記貫通穴に配置された外乱検出用の第１磁電変換素子、及び前記被測定導体に形成された前記第１分岐路または第２分岐路の外側に配置された第２磁電変換素子を有する電流検出器を備えたことを特徴とする。
【００１６】
請求項４に記載の発明によれば、複数の導体が配設される電気接続箱に電流検出器を設け、複数の導体の内のいずれか１つの導体を被測定導体とし、該被測定導体には、貫通穴が形成されるとともに該貫通穴によって流れる電流を２分する第１分岐路及び第２分岐路が形成されているので、第１分岐路を流れる電流によって生じる磁界と第２分岐路を流れる電流によって生じる磁界とは貫通穴の位置で打ち消し合うので、第１磁電変換素子は、外乱磁界の強さに対応する電気信号を出力する。一方、第２磁電変換素子は、第１分岐路を流れる電流によって生じる磁界と第２分岐路を流れる電流によって生じる磁界との合成磁界に更に外乱磁界が合成された磁界の強さに対応する電気信号を出力する。
【００１７】
従って、例えば、第２磁電変換素子からの電気信号から第１磁電変換素子からの電気信号を除去するような補正を行えば、補正された電気信号は、被測定導体に流れる電流の大きさを正確に反映しているので、被測定導体に流れる電流を精度良く検出できる電流検出器を電気接続箱にも適用することができる。
【００１８】
請求項５に記載の発明は、請求項４に記載の発明において、前記複数の導体の内の前記被測定導体を除く導体は、当該導体及び前記第１磁電変換素子間の距離と、当該導体及び前記第２磁電変換素子間の距離とが略等しくなるように配置されることを特徴とする。
【００１９】
請求項５に記載の発明によれば、複数の導体の内の被測定導体を除く導体は、当該導体及び第１磁電変換素子間の距離と、当該導体及び第２磁電変換素子間の距離とが略等しくなるように配置されているので、第１磁電変換素子及び第２磁電変換素子のそれぞれは、当該導体からの磁界の影響を略等しく受けるため、第２磁電変換素子からの電気信号から第１磁電変換素子からの電気信号を除去するような補正を行えば、補正された電気信号は、当該導体からの磁界の影響を全く受けなくなり、これによって、高精度な電流検出値を得ることができる。
【００２０】
【発明の実施の形態】
以下、本発明の実施の形態に係る電流検出器及びこれを用いた電気接続箱を図面を参照しながら詳細に説明する。
【００２１】
図１は電流検出器の構成を示す平面図である。この電流検出器は、第１分岐路１２１及び第２分岐路１２２が形成された被測定導体１０、第１ホール素子２０及び第２ホール素子２１から構成されている。被測定導体１０の第１分岐路１２１及び第２分岐路１２２が形成された部分、第１ホール素子２０及び第２ホール素子２１は、通常、複数の導体を配設し且つ自動車等に設けられた図示しない電気接続箱に収容されている。
【００２２】
被測定導体１０は板状の導体で構成されている。この被測定導体１０の略中央部に貫通穴１１が穿たれており、これにより第１分岐路１２１及び第２分岐路１２２が形成されている。この際、被測定導体１０を流れる電流Ｉの半分が第１分岐路１２１を流れる電流Ｉ１となり、他の半分が第２分岐路１２２を流れる電流Ｉ２となるように、第１分岐路１２１及び第２分岐路１２２の各導体幅が決定されている。
【００２３】
第１ホール素子２０は本発明の第１磁電変換素子に対応する。この第１ホール素子２０は、その感磁面（磁束検出面）に入る磁束密度に対応する電圧（ホール電圧）信号を発生する。この第１ホール素子２０には、図示しないリードを介して所定の電流が供給される。また、この第１ホール素子２０で発生された電圧信号は、図示しないリードを介して外部に取り出される。
【００２４】
この第１ホール素子２０は、その感磁面が第１分岐路１２１及び第２分岐路１２２の表面と略同一面になるようにして貫通穴１１の略中央に配置されている。これにより、第１分岐路１２１を流れる電流Ｉ１により発生される磁束及び第２分岐路１２２を流れる電流Ｉ２により発生される磁束が第１ホール素子２０の感磁面に垂直に交差するようになっている。この場合、電流Ｉ１により発生される磁束の向きと第２分岐路１２２を流れる電流Ｉ２により発生される磁束の向きとは逆方向になっている。
【００２５】
第２ホール素子２１は本発明の第２磁電変換素子に対応する。この第２ホール素子２１も、上記第１ホール素子２０と同様に、その感磁面に入る磁束密度に対応する電圧信号を発生する。そして、この第２ホール素子２１には、図示しないリードを介して所定の電流が供給されると共に、この第２ホール素子２１で発生された電圧信号は、図示しないリードを介して外部に取り出されるようになっている。
【００２６】
この第２ホール素子２１は、その感磁面が第１分岐路１２１及び第２分岐路１２２の表面と略同一面になるようにして第２分岐路１２２の外側に配置されている。これにより、第１分岐路１２１を流れる電流Ｉ１により発生される磁束及び第２分岐路１２２を流れる電流Ｉ２により発生される磁束が第２ホール素子２１の感磁面に垂直に交差するようになっている。この場合、電流Ｉ１により発生される磁束の向きと第２分岐路１２２を流れる電流Ｉ２により発生される磁束の向きとは同一方向になっている。
【００２７】
なお、上記第２ホール素子２１は、第１分岐路１２１の外側（図中上側）に配置してもよい。また、第１ホール素子２０及び第２ホール素子２１は、それらの感磁面が第１分岐路１２１及び第２分岐路１２２の裏面と略同一面になるように配置してもよい。
【００２８】
次に、このように構成された本発明の実施の形態に係る電流検出器の動作を説明する。
【００２９】
今、被測定導体１０に被測定電流Ｉが流れると、図２に示すように、この被測定電流Ｉの半分が電流Ｉ１として第１分岐路１２１を流れる。これにより、図示するように、アンペアの右ネジの法則に従って図示矢印方向に電流Ｉ１の大きさに対応する強さの磁界Ｈ１が発生する。この磁界Ｈ１による磁束は第１ホール素子２０の感磁面に垂直に入るように発生するので、この時の磁束密度をＢとすると、磁束密度Ｂの磁束が感磁面に入ることになる。
【００３０】
同様に、被測定電流Ｉの他の半分は電流Ｉ２として第２分岐路１２２を流れる。これにより、図示するように、アンペアの右ネジの法則に従って図示矢印方向に電流Ｉ２の大きさに対応する強さの磁界Ｈ２が発生する。この磁界Ｈ２による磁束は第１ホール素子２０の感磁面から垂直に出ていくように発生する。ここで、電流Ｉ２は電流Ｉ１に等しいので、磁束密度Ｂの磁束が感磁面から出ていくことになる。
【００３１】
従って、第１ホール素子２０の感磁面に出入する外乱磁界が存在しなければ、磁界Ｈ１による磁束と磁界Ｈ２による磁束とは打ち消し合う。その結果、第１ホール素子２０は電気信号としてゼロを出力する。ところが、他の導体に流れる電流に基づいて発生される磁界や外部からの磁界といった外乱磁界Ｈ３が存在すると、第１ホール素子２０は、この外乱磁界Ｈ３に対応する大きさの外乱電圧信号を発生する。
【００３２】
一方、第２ホール素子２１の感磁面における磁界を考えると、被測定導体１０に被測定電流Ｉが流れることにより発生された磁界Ｈ１と磁界Ｈ２は、図３に示すように、第２ホール素子２１の感磁面に出入する外乱磁界が存在しなければ、磁界Ｈ１による磁束と磁界Ｈ２による磁束とは合成され、第２ホール素子２１の感磁面に垂直に入る。
【００３３】
ところが、上述した外乱磁界Ｈ３が存在すると、上記磁界Ｈ１及び磁界Ｈ２に更に外乱磁界Ｈ３が合成された磁界による磁束が第２ホール素子２１の感磁面に垂直に入る。従って、第２ホール素子２１は、外乱磁界Ｈ３に基づく外乱電圧信号を含む電圧信号を発生する。
【００３４】
上記第１ホール素子２０からの外乱電圧信号及び第２ホール素子２１からの外乱電圧信号を含む電圧信号は、図５に示すように、補正部４０に入力される。補正部４０は、例えば減算器で構成されている。
【００３５】
この補正部４０は、第２ホール素子２１からの外乱電圧信号を含む電圧信号から、第１ホール素子２０からの外乱電圧信号を減算した電圧信号を出力する。従って、補正部４０から出力される電圧信号は、被測定導体１０を流れる電流Ｉの大きさを正確に反映している。
【００３６】
特に、複数の導体が配設される自動車用の電気接続箱において、図４に示すように、被測定導体１０以外の他の導体３０が、第１ホール素子２０と第２ホール素子２１とを結ぶ線の中点を通り、該線に垂直な平面上に存在するように配設する。
【００３７】
すなわち、他の導体３０及び第１ホール素子２０間の距離と、他の導体３０及び第２ホール素子２１間の距離とが略等しくなるように配置すれば、第１ホール素子２０及び第２ホール素子２１のそれぞれは、他の導体３０からの磁界の影響を略等しく受けるため、第２ホール素子２１からの電気信号から第１ホール素子２０からの電気信号を除去するような補正を行えば、補正された電気信号は、他の導体３０からの磁界の影響（磁束）を全く受けなくなり、これによって、高精度な電流検出値を得ることができる。
【００３８】
以上説明したように、この実施の形態に係る電流検出器では、被測定導体１０に貫通穴１１を設けることにより第１分岐路１２１及び第２分岐路１２２が形成され、貫通穴１１の中央に外乱検出用の第１ホール素子２０が配置され、第１分岐路１２１または第２分岐路１２２の近傍に第２ホール素子２１が配置されている。そして、第２ホール素子２１からの電圧信号から、第１ホール素子２０からの電圧信号を減算し、検出結果信号として出力する。これによって、他の導体３０からの外乱磁界の影響が排除されるので、精度の高い検出値結果を得ることができる。
【００３９】
次に、本発明の実施の形態に係る電流検出器を自動車用の電気接続箱に適用した例を図６を参照しながら説明する。
【００４０】
この電気接続箱５０は、直方体をなしており、上面側に複数の導体としての被測定導体１０、第１他導体３０１及び第２他導体３０２が配設される。これらの複数の導体１０，３０１，３０２は、相互に且つ略平行に配置されている。
【００４１】
第１他導体３０１には第１バスバー５３１を介して第１遮断器５１１が接続され、第２他導体３０２には第２バスバー５３２を介して第２遮断器５１２が接続され、被測定導体１０には第３バスバー５３３を介して第３遮断器５１３が接続されている。
【００４２】
第１遮断器５１１、第２遮断器５１２、及び第３遮断器５１３のそれぞれは、当該遮断器に接続された導体に流れる電流が例えば、所定の電流値を超えて過電流となったときに導体に流れる電流を遮断したり、あるいは車両からの異常信号（例えば、車両が衝突したときにおける衝突信号）により導体に流れる電流を遮断するものである。
【００４３】
この電気接続箱５０において、被測定導体１０には前記電流検出器が設けられている。この電流検出器において、被測定導体１０の一部分に貫通穴１１が形成されるとともに該貫通穴１１によって流れる電流を２分する第１分岐路１２１及び第２分岐路１２２が形成されている。
【００４４】
また、被測定導体１０の貫通穴１１には外乱検出用の第１ホール素子２０が配置され、被測定導体１０に形成された第１分岐路１２１または第２分岐路１２２の外側には第２ホール素子２１が配置されている。
【００４５】
また、第１他導体３０１及び第２他導体３０２のそれぞれの導体は、当該導体及び第１ホール素子２０間の距離と、当該導体及び第２ホール素子２１間の距離とが略等しくなるように配置されている。
【００４６】
このような構成の電気接続箱５０によれば、複数の導体の内の被測定導体１０に電流検出器を設け、被測定導体１０には、貫通穴１１が形成されるとともに該貫通穴１１によって流れる電流を２分する第１分岐路１２１及び第２分岐路１２２が形成されているので、第１分岐路１２１を流れる電流によって生じる磁界と第２分岐路１２２を流れる電流によって生じる磁界とは貫通穴１１の位置で打ち消し合うので、第１ホール素子２０は、第１他導体３０１及び第２他導体３０２のそれぞれに流れる電流によって生ずる外乱磁界の強さに対応する電気信号を出力する。
【００４７】
一方、第２ホール素子２１は、第１分岐路１２１を流れる電流によって生じる磁界と第２分岐路１２２を流れる電流によって生じる磁界との合成磁界に、更に第１他導体３０１及び第２他導体３０２のそれぞれに流れる電流によって生ずる外乱磁界が合成された磁界の強さに対応する電気信号を出力する。
【００４８】
従って、例えば、第２ホール素子２１からの電気信号から第１ホール素子２０からの電気信号を除去するような補正を行えば、補正された電気信号は、被測定導体１０に流れる電流の大きさを正確に反映しているので、被測定導体１０に流れる電流を精度良く検出できる電流検出器を電気接続箱５０にも適用することができる。
【００４９】
また、第１他導体３０１及び第２他導体３０２のそれぞれは、当該導体及び第１ホール素子２０間の距離と、当該導体及び第２ホール素子２１間の距離とが略等しくなるように配置されているので、第１ホール素子２０及び第２ホール素子２１のそれぞれは、当該導体からの磁界の影響を略等しく受ける。
【００５０】
このため、第２ホール素子２１からの電気信号から第１ホール素子２０からの電気信号を除去するような補正を行えば、補正された電気信号は、当該導体からの磁界の影響を全く受けなくなり、これによって、高精度な電流検出値を得ることができる。
【００５１】
【発明の効果】
請求項１に記載の発明によれば、第１分岐路を流れる電流によって生じる磁界と第２分岐路を流れる電流によって生じる磁界とは貫通穴の位置で打ち消し合うので、第１磁電変換素子は、外乱磁界の強さに対応する電気信号を出力する。一方、第２磁電変換素子は、第１分岐路を流れる電流によって生じる磁界と第２分岐路を流れる電流によって生じる磁界との合成磁界に更に外乱磁界が合成された磁界の強さに対応する電気信号を出力する。
【００５２】
従って、例えば、第２磁電変換素子からの電気信号から第１磁電変換素子からの電気信号を除去するような補正を行えば、補正された電気信号は、被測定導体に流れる電流の大きさを正確に反映しているので、被測定導体に流れる電流を精度良く検出できる。
【００５３】
請求項２に記載の発明によれば、第２磁電変換素子が、被測定導体に形成された第１分岐路及び第２分岐路を含む平面と同一平面上であって、第１分岐路または第２分岐路の外側に配置されているので、第１の分岐路に流れる電流によって生ずる磁界、及び第２の分岐路に流れる電流によって生ずる磁界のそれぞれの磁界が第２磁電変換素子の感磁面を略垂直に貫くから、より大きな電気信号が出力され、これによって、より高感度となる。
【００５４】
請求項３に記載の発明によれば、補正部は、第２磁電変換素子から出力される電気信号を、第１磁電変換素子から出力される電気信号に基づいて補正するので、補正部から出力される電気信号は、被測定導体に流れる電流の大きさを正確に反映している。従って、被測定導体に流れる電流を精度良く検出できる。
【００５５】
請求項４に記載の発明によれば、複数の導体が配設される電気接続箱に電流検出器を設け、複数の導体の内のいずれか１つの導体を被測定導体とし、該被測定導体には、貫通穴が形成されるとともに該貫通穴によって流れる電流を２分する第１分岐路及び第２分岐路が形成されているので、第１分岐路を流れる電流によって生じる磁界と第２分岐路を流れる電流によって生じる磁界とは貫通穴の位置で打ち消し合うので、第１磁電変換素子は、外乱磁界の強さに対応する電気信号を出力する。一方、第２磁電変換素子は、第１分岐路を流れる電流によって生じる磁界と第２分岐路を流れる電流によって生じる磁界との合成磁界に更に外乱磁界が合成された磁界の強さに対応する電気信号を出力する。
【００５６】
従って、例えば、第２磁電変換素子からの電気信号から第１磁電変換素子からの電気信号を除去するような補正を行えば、補正された電気信号は、被測定導体に流れる電流の大きさを正確に反映しているので、被測定導体に流れる電流を精度良く検出できる電流検出器を電気接続箱にも適用することができる。
【００５７】
請求項５に記載の発明によれば、複数の導体の内の被測定導体を除く導体は、当該導体及び第１磁電変換素子間の距離と、当該導体及び第２磁電変換素子間の距離とが略等しくなるように配置されているので、第１磁電変換素子及び第２磁電変換素子のそれぞれは、当該導体からの磁界の影響を略等しく受けるため、第２磁電変換素子からの電気信号から第１磁電変換素子からの電気信号を除去するような補正を行えば、補正された電気信号は、当該導体からの磁界の影響を全く受けなくなり、これによって、高精度な電流検出値を得ることができる。
【図面の簡単な説明】
【図１】本発明の実施の形態に係る電流検出器の構造を示す平面図である。
【図２】図１における第１ホール素子の動作を説明するための図である。
【図３】図１における第２ホール素子の動作を説明するための図である。
【図４】本発明の実施の形態に係る電流検出器を適用する場合の他の導体の好適な配置を説明するための図である。
【図５】本発明の実施の形態に係る電流検出器の補正部を示す図である。
【図６】本発明の実施の形態に係る電流検出器を自動車用の電気接続箱に適用した例を示す図である。
【図７】従来の電流検出器を説明するための図である。
【符号の説明】
１０  被測定導体
１１  貫通穴
１２１  第１分岐路
１２２  第２分岐路
２０  第１ホール素子
２１  第２ホール素子
３０  他の導体
４０  補正部
５０  電気接続箱
５１１  第１遮断器
５１２  第２遮断器
５１３  第３遮断器
５３１  第１バスバー
５３２  第２バスバー
５３３  第３バスバー
【図１】
0003631925.tif 000002
【図２】
0003631925.tif 000003
【図３】
0003631925.tif 000004
【図４】
0003631925.tif 000005
【図５】
0003631925.tif 000006
【図６】
0003631925.tif 000007
【図７】
0003631925.tif 000008